(57)【要約】【課題】保持しうる傘の本数を異ならせたり、傘挿入口の高さ位置を違えたりといった仕様変更をコスト安く行なうことができる傘立てを提供する。【解決手段】左右一対の樹脂製の側板１と、これらの側板１，１間を掛け渡すようにして、両端部が両側板１に接続された複数のロッド２と、それぞれ複数の傘挿入部３３が樹脂により一体形成された複数の傘保持ブロック３と、を備え、上記複数のロッド２は、上記両側板１の高さ方向について選択された高さ位置において、両側板１の奥方間に掛け渡された第１ロッド２ａと、上記両側板１の高さ方向について選択された高さ位置において、両側板１の手前方間に掛け渡された第２のロッド２ｂとを少なくとも含み、  上記複数の傘保持ブロック３は、それらの奥方縁が上記第１ロッド２ａに、手前縁が上記第２ロッド２ｂに、上記第１ロッド２ａおよび第２ロッド２ｂの長手方向に並ぶようにしてそれぞれ支持されている。【選択図】  図１
2005034262.tif 000002
【特許請求の範囲】
【請求項１】
左右一対の樹脂製の側板と、これらの側板間を掛け渡すようにして、両端部が両側板に接続された複数のロッドと、それぞれ複数の傘挿入部が樹脂により一体形成された複数の傘保持ブロックと、を備え、
上記複数のロッドは、上記両側板の高さ方向について選択された高さ位置において、両側板の奥方間に掛け渡された第１ロッドと、上記両側板の高さ方向について選択された高さ位置において、両側板の手前方間に掛け渡された第２のロッドとを少なくとも含み、
上記複数の傘保持ブロックは、それらの奥方縁が上記第１ロッドに、手前縁が上記第２ロッドに、上記第１ロッドおよび第２ロッドの長手方向に並ぶようにしてそれぞれ支持されていることを特徴とする、傘立て。
【請求項２】
上記両側板の奥方間に、上記第１ロッドよりも低位において掛け渡された第３ロッドと、上記両側板の手前方間に、上記第２ロッドよりも低位において掛け渡された第４ロッドとをさらに備えている、請求項１に記載の傘立て。
【請求項３】
上記側板は、その一面において、奥方および手前方にそれぞれ高さ方向に複数並ぶロッド連結部が形成されている、請求項１または２に記載の傘立て。
【請求項４】
上記ロッド連結部は、上記側板の一面側に、上記ロッドの端部が嵌入される有底孔を設けることによって形成され、上記ロッドの端部は、上記有底孔のうち選択したものに嵌入されるとともに、上記側板の他面側から上記有底孔の底部を貫通させて上記ロッド端部にねじをねじ込むことによって上記側板に連結されている、請求項３に記載の傘立て。
【請求項５】
傘保持ブロックは、その奥方縁および手前縁の下面側にそれぞれ一体形成した環部を上記第１ロッドおよび第２ロッドにそれぞれ套挿することにより、上記第１ロッドおよび第２ロッドに支持されている、請求項３に記載の傘立て。
【請求項６】
上記傘保持ブロックは、その奥方縁よりも手前縁が低位となるように傾斜状に支持されている、請求項１ないし５のいずれかに記載の傘立て。
【請求項７】
上記第３ロッドと上記第４ロッド間を掛け渡すようにして、上記第３ロッドと上記第４ロッドの長手方向に並ぶ複数の水受けトレイが支持されている、請求項２ないし６のいずれかに記載の傘立て。
【請求項８】
上記側板は、側面視において、左右対称形に形成されている、請求項１ないし７のいずれかに記載の傘立て。
【請求項９】
上記側板は、ブロー成形によって形成されており、かつ、上縁奥端部および手前端部がなだらかにラウンドさせられている、請求項８に記載の傘立て。
【発明の詳細な説明】
【０００１】
【発明の属する技術分野】
本願発明は、傘立てに関し、より詳しくは、多数の傘を１本ずつ挿入保持させることができるようにした傘立てに関する。
【０００２】
【従来の技術】
上面に多数個の傘挿入口が配列され、これらの挿入口から傘を１本ずつ挿入して保持させておくことができ、しかも、挿入口が奥方よりも手前方のほうが低くなるようにして、奥方への傘の挿入を容易とし、かつ、挿入保持された多数の傘から特定の傘を確認することが容易となるように構成された傘立てが本願出願人による特許文献１に開示されている。
【０００３】
【特許文献１】
特開２０００−２２５０５０
【０００４】
同特許文献１に開示された傘立ての構成は、傘挿入口ないしその裏側につづく筒状部からなる個別傘挿入保持部をいくつか一体形成した保持ブロックを準備し、このような保持ブロックの複数をフレーム材に対して配列支持させるにあたり、傘挿入口が奥方よりも手前方のほうが低位とするようにしたものである。そして、フレーム材は、金属の棒材を溶接等によって接続して構成することが予定されている。
【０００５】
【発明が解決しようとする課題】
ところで、上記構成を有する傘立てにあっては、フレーム材が金属の棒材を溶接等によって接続して作製されるものであるため、次のような解決するべき課題がある。
【０００６】
第１に、挿入保持しうる傘の本数を違えた仕様のものを提供するにあたり、フレームは、それぞれ仕様にしたがって寸法形状が異なるものを作製せねばならず、コスト的に不利である。
【０００７】
第２に、傘挿入口のとくに高さ位置を違えた仕様のものを提供するにあたっても、フレームは、全体的に寸法形状の異なるものを作製せねばならず、やはりコスト的に不利である。
【０００８】
第３に、傘立て全体がかなり重量をもち、輸送および取り扱いが厄介である。
【０００９】
第４に、フレームには角部があり、幼児、児童が通う場所に設置する場合、安全について、別の配慮をする必要がある。
【００１０】
本願発明は、上記した事情のもとで考え出されたものであり、上記従来の課題を解決し、保持しうる傘の本数を異ならせたり、傘挿入口の高さ位置を違えたりといった仕様変更をコスト安く行なうことができるとともに、軽量であり、しかも、安全についての別の配慮をする必要をなくした傘立てを提供することをその課題とする。
【００１１】
【発明の開示】
上記の課題を解決するため、本願発明では、次の各技術的手段を採用した。
【００１２】
すなわち、本願発明によって提供される傘立ては、左右一対の樹脂製の側板と、これらの側板間を掛け渡すようにして、両端部が両側板に接続された複数のロッドと、それぞれ複数の傘挿入部が樹脂により一体形成された複数の傘保持ブロックと、を備え、
上記複数のロッドは、上記両側板の高さ方向について選択された高さ位置において、両側板の奥方間に掛け渡された第１ロッドと、上記両側板の高さ方向について選択された高さ位置において、両側板の手前方間に掛け渡された第２のロッドとを少なくとも含み、
上記複数の傘保持ブロックは、それらの奥方縁が上記第１ロッドに、手前縁が上記第２ロッドに、上記第１ロッドおよび第２ロッドの長手方向に並ぶようにしてそれぞれ支持されていることを特徴としている。
【００１３】
このような構成によれば、傘保持ブロックを支持するための第１ロッドと第２ロッドとの高さ方向位置を選択して組み立てることができるので、傘保持ブロックの高さ位置をニーズにしたがって設定するに当たり、別途フレーム材を設計製作するといったコスト上昇要因は生じない。また、挿入傘本数を増大するためには、ロッドの長さのみを変更し、第１ロッドおよび第２ロッドに支持される傘保持ブロックの個数を変更すればよく、この場合においても、別途のフレーム材を設計製作するといったコスト上昇要因は生じない。さらに、ロッド以外は樹脂によって構成されるので、傘立て全体が著しく軽量化される。
【００１４】
好ましい実施の形態においては、上記両側板の奥方間に、上記第１ロッドよりも低位において掛け渡された第３ロッドと、上記両側板の手前方間に、上記第２ロッドよりも低位において掛け渡された第４ロッドとをさらに備えている。
【００１５】
このような構成によれば、両側板および複数のロッドとからなる組み立て体の全体の強度を、他の異なる部品を準備することなく、確保することができる。
【００１６】
好ましい実施の形態においては、上記側板には、その一面において、奥方および手前方にそれぞれ高さ方向に複数並ぶロッド連結部が形成されている。このロッド連結部は、好ましくは、上記側板の一面側に、上記ロッドの端部が嵌入される有底孔を設けることによって形成され、上記ロッドの端部は、上記有底孔のうち選択したものに嵌入されるとともに、上記側板の他面側から上記有底孔の底部を貫通させて上記ロッド端部にねじをねじ込むことによって上記側板に連結されている。
【００１７】
このような構成によれば、各ロッドの両側板の上下方向についての位置の選択が正確かつ容易に行なえ、しかも、各ロッドと両側板間の連結作業が容易に行なえる。
【００１８】
好ましい実施の形態において、傘保持ブロックは、その奥方縁および手前縁の下面側にそれぞれ一体形成した環部を上記第１ロッドおよび第２ロッドにそれぞれ套挿することにより、上記第１ロッドおよび第２ロッドに支持されている。
【００１９】
このような構成によれば、第１ロッドおよび第２ロッドに対する傘保持ブロックの取り付けに、別途の固定用部材が全く不要であり、しかも、傘保持ブロックに挿入保持された傘を無理に引き抜くといった場合のように、仮に傘保持ブロックに上向きの外力が作用したとしても、傘保持ブロックが脱落してしまうといった問題は生じえない。このように、傘保持ブロックの高い支持安定性が得られる。
【００２０】
好ましい実施の形態においてはさらに、上記傘保持ブロックは、その奥方縁よりも手前縁が低位となるように傾斜状に支持されている。
【００２１】
このような構成によれば、奥方に位置する傘挿入部への傘の挿入が容易に行なえるようになる。また、挿入保持された多数の傘から特定の傘を確認することも容易となる。
【００２２】
好ましい実施の形態においてはまた、上記第３ロッドと上記第４ロッド間を掛け渡すようにして、上記第３ロッドと上記第４ロッドの長手方向に並ぶ複数の水受けトレイが支持されている。
【００２３】
このような構成によれば、傘挿入部に挿入された傘の先から垂れ落ちた水を保持させておくことができるので、傘立てが設置された床等の水濡れを都合よく防止することができる。
【００２４】
好ましい実施の形態において、上記側板は、側面視において、左右対称形に形成されている。
【００２５】
このような構成によれば、一対の側板を単一形状の側板を用いて構成することができるので、さらにコスト低減を図ることができる。
【００２６】
好ましい実施の形態において、上記側板は、ブロー成形によって形成されており、かつ、上縁奥端部および手前端部がなだらかにラウンドさせられている。
【００２７】
このような構成によれば、傘立てに鋭利な角部がなくなり、しかも、側板がブロー成形による樹脂によって形成されていることからその衝撃吸収性によって安全性が高まり、幼児や児童が集まる学校等に設置するのに好適となる。
【００２８】
本願発明のその他の特徴および利点は、図面を参照して以下に行なう詳細な説明から、より明らかとなろう。
【００２９】
【発明の実施の形態】
以下、本願発明の好ましい実施の形態につき、図面を参照して具体的に説明する。
【００３０】
図１に本願発明の一実施形態に係る傘立てＡの全体構成が示されている。この傘立てＡは、左右一対の樹脂製の側板１と、これら側板１，１間を掛け渡すようにして両端部がこれら側板の内側面に連結された４本のロッド２（２ａ〜２ｄ）と、上方の２本のロッド２ａ，２ｂを利用して複数支持された傘保持ブロック３と、下方の２本のロッド２ｃ，２ｄを利用して複数支持された水受けトレイ４とを備えている。
【００３１】
上記４本のロッド２（２ａ〜２ｄ）は、両側板１の高さ方向上位において、両側板１の奥方間に掛け渡された第１ロッド２ａと、同じく両側板１の高さ方向上位において、両側板１の手前方間に掛け渡された第２ロッド２ｂと、両側板１の高さ方向低位において、両側板１の奥方間に掛け渡された第３ロッド２ｃと、同じく両側板１の高さ方向低位において、両側板１の手前方間に掛け渡された第４ロッド２ｄとからなる。第１ロッド２ａと第２ロッド２ｂとの高さ位置関係は、第２ロッド２ｂのほうが第１ロッド２ａよりも低位となっており、したがって、これらのロッド２ａ，２ｂを利用して支持されている傘保持ブロック３は、全体として、手前方が低位となるように傾斜させられている。第３ロッド２ｃと第４ロッド２ｄとの高さ位置は同じである。また、第１〜第４ロッド２ａ〜２ｄは、同じ長さであって互いに平行な関係にあり、両側板１に対して垂直な関係にある。なお、これらのロッド２ａ〜２ｄは、たとえば金属製パイプを用いることができる。
【００３２】
図１〜図３に表れているように、傘保持ブロック３は、縦方向に４つ、横方向に３つ、合計１２の傘保持部３１が一体形成された平面視矩形状をした樹脂製の部材である。この傘保持ブロック３の上面には、後記する各傘保持部３１の共通のフランジとなる平坦なベース面３２を備えており、このベース面３２に上記した配列によって傘挿入口３３を開口させるとともに、この傘挿入口３３の裏面側に一定長さ垂下する筒状部３４を設けて各傘保持部３１が形成されている。筒状部３４の内径は、挿入された傘を拘束して、適度な摩擦力で保持できる程度に設定される。各傘保持部３１の軸線（筒状部３４の軸線）は、ベース面３２に対して垂直ではなく、傾斜状としている。これは、各傘保持部３１の軸線を鉛直線と一致させたときに、ベース面３２をその手前方が低位となるように傾斜させることを予定しているためである。また、各傘保持部３１の傘挿入口３３から筒状部３４にかけての内面は、ラッパ状に形成されており、かつ、各筒状部３４の内径は、下方に向かうほどやや縮径するテーパ状となっている。傘挿入口３３をできるだけ大きくして、傘の挿入をより容易とするためである。
【００３３】
図３に表れているように、傘保持ブロック３はまた、その両則縁の下面側に上記ベース面３２からその裏面側に垂下するフランジ部３５が形成されている。また、上記ベース面３２の裏面側には、上記フランジ部３５とこれに隣接する筒状部３４をつなぎ、かつ横方向に隣接する筒状部３４間をつなぐ、横方向に延びるリブ３６ａ、および、横方向に隣接する筒状部３４間において、上記横方向に延びるリブ３６ａと交差しつつ、縦方向に延びるリブ３６ｂが形成されており、上記フランジ部３５および上記各リブ３６ａ，３６ｂにより、傘保持ブロック３の剛性を確保している。
【００３４】
上記傘保持ブロック３における上記フランジ部３５には、それらの奥方縁および手前方縁近傍において、上記第１および第２ロッド２ａ，２ｂの外径と対応した透孔３５ａが形成されており、この傘保持ブロック３は、これらの透孔３５ａを上記第１ロッド２ａおよび第２ロッド２ｂに套挿することにより、上記第１ロッド２ａおよび第２ロッド２ｂに支持される。なお、この傘保持ブロック３の奥方縁および手前縁には、第１および第２ロッド２ａ，２ｂを包み込むように延びる湾曲状フランジ部３７が形成されている。この湾曲状フランジ部３７は、第１ロッド２ａと第２ロッド２ｂとを覆い隠すだけではなく、傘保持ブロック３の剛性を高める機能をも有する。
【００３５】
水受けトレイ４は、平面視矩形状をした樹脂製の部材であり、図１および図２に表れているように、周囲部を除く部位が盆状に窪んでいる。この水受けトレイ４の奥方縁および手前縁の下面側には、第３ロッド２ｃおよび第４ロッド２ｄに載るようにして係合する係合凹部４１が形成されており、したがって、この水受けトレイ４は、この係合凹部３１を第３ロッド２ｃおよび第４ロッド２ｄに係合させるようにして、これら第３ロッド２ｃおよび第４ロッド２ｄに支持される。なお、この水受けトレイ４の横方向幅は、上記傘保持ブロック３の横方向幅と同じ幅とされている。
【００３６】
図１から判るように、この実施形態では、３つの傘保持ブロック３と、３つの水受けトレイ４とがそれぞれ両側板１，１間で横方向に密に並ぶようにして用いられている。したがって、このことに対応させて、第１〜第４ロッド２ａ〜２ｄの長さが設定されている。
【００３７】
一対の側板１は、側面視において略矩形状の樹脂製の部材であり、左右対称形である。これらの側板１の一面には、その奥方および手前方において、それぞれ縦方向に等間隔に並ぶ複数のロッド連結部１１が形成されている。これらのロッド連結部は、図４によく表れているように、ロッド端部２１を密に嵌合挿入しうる有底孔１１ａによって形成されている。より詳細には、側板１の一面からロッド２の径よりやや大径の有底孔１１ａを形成するとともに、この有底孔１１ａの内面に、孔の軸線方向に延びる凸条１１ｂを形成している。実施形態では、この凸条１１ｂは等間隔に３箇所形成されており、これらの凸条１１ｂの内接円の径は、上記ロッド２の外径よりもやや小としてある。このロッド連結部１１にロッド２の端部を押し込むと、上記凸条１１ｂが若干弾性圧縮変形するようにして、挿入されたロッド端部２１を密に摩擦保持する。すなわち、このような構成のロッド連結部１１は、上記凸条１１ｂが変形容易部となって、上記有底孔１１ａあるいはロッド２の外径の誤差を吸収し、常に適度な摩擦力でロッド端部２１を摩擦保持することができる。そうして、図５に表れているように、この側板１の他面側には、各有底孔状のロッド連結部１１と対応させて円形凹部１２が形成されている。
【００３８】
なお、この側板１は、ブロー成形によって好適に形成することができ、コーナ部１３は緩やかにラウンドさせられている。また、この側板１の上縁部には、この上縁部を手持ちハンドルとして機能させるための、弦が上を向く弓形の透孔１４が形成されている。さらに、側板１の一面側には、上記した複数の有底孔状のロッド連結部１１のほかに、複数の円形凹部１２ａが規則的に配列形成され、この側板１の他面側には、上記一面側の円形凹部１２ａと対応する円形凹部１２ｂが形成されているが、これは、デザイン上の処理である。
【００３９】
図６および図７には、各ロッド２（２ａ〜２ｄ）の側板１に対する連結構造の詳細が示されている。上記のようにして有底孔状のロッド連結部１１に嵌合保持されたロッド２の端面２２には、ナット部材２３が埋め込まれており、このナット部材２３に対し、側板１の外面側から挿入したねじ２４がねじ込まれる。そのため、有底孔１１ａの底部には、ねじ２４が挿通しうる透孔１１ｃが形成されるが、この透孔１１ｃは、ロッド端部２１を連結するべく選択したロッド連結部１１についてのみ、あらかじめ開設すればよい。上記したように、側板１は、樹脂製であるため、このような透孔１１ｃを開けることは、なんら問題なく行なえる。また、上記ねじ２４の頭部２４ａは、側板１の他面側において、円形凹部１２内に都合よく収容され、このようなねじ頭部２４が外部に露出することはない。
【００４０】
次に、上記構成の傘立てＡの組み立ての手順について、説明する。
【００４１】
第１ロッド２ａおよび第２ロッド２ｂには、あらかじめ、３個の傘保持ブロック３が上記のようにして保持される。すなわち、各傘保持ブロック３の両側のフランジ部３５の奥方に形成された透孔３５ａには第１ロッド２ａが連通挿され、各傘保持ブロック３の両側のフランジ部３５の手前方に形成された透孔３５ａには第２ロッド２ｂが連通挿される。
【００４２】
こうして３個の傘保持ブロック３を保持した第１ロッド２ａおよび第２ロッド２ｂの端部は、両側板１における複数のロッド連結部１１のうち、高さ方向について選択したものに対して図６および図７を参照して上記したようにして連結される。
【００４３】
そして、第３ロッド２ｃおよび第４ロッド２ｄについても、同様にして、両側板１における複数のロッド連結部１１のうち、高さ方向について選択したものに対して上記のようにして連結される。
【００４４】
最後に、第３ロッド２ｃおよび第４ロッド２ｄに対し、３個の水受けトレイ４を横方向に並べるようにして支持させ、図１に示された傘立てＡの組み立てが完了する。
【００４５】
上記構成の傘立てＡは、両側板１，１間をつなぎ、傘保持ブロック３および水受けトレイ４を支持する第１〜第４ロッド２ａ〜２ｄが金属製のパイプによって構成されているにもかかわらず、第１および第２ロッド２ａ，２ｂについては、各傘保持ブロック３の奥方縁および手前縁に形成された湾曲フランジ部３７によって覆い隠され、第３および第４ロッド２ｃ，２ｄについては、これらの上部に係合支持された水受けトレイ４によって隠されるので、外観上、金属部材はほとんど外部に現れない。また、各ロッド２ａ〜２ｄを側板１に固定するために側板１の他面側からねじこんだねじ２４の頭部２４ａは側板１の外面側に形成した円形凹部１２内に収容されていて、これによっても、金属部材が突出状に露出することがない。したがって、この傘立てＡは、従来にはないソフトな外観を形成するとともに、金属部に当たって怪我をするといった心配は、ほとんど皆無となる。
【００４６】
また、上記構成の傘立てＡは、第１ロッド２ａおよび第２ロッド２ｂの高さ方向の位置を選択してこれに傘保持ブロック３を支持させることができるので、別途のフレームを製作するといった必要なく、容易に傘保持部３１の高さ変更のニーズに対応することができる。また、保持するべき傘の本数を変更するには、第１および第２ロッド２ａ，２ｂに支持される傘保持ブロック３および第３および第４ロッド２ｃ，２ｄに支持される水受けトレイ４の数を変更し、これに応じて第１および第２ロッド２ａ，２ｂならびに第３および第４ロッド２ｃ，２ｄの長さを変更するだけで、容易に対応することができる。
【００４７】
さらに、上記構成の傘立てＡにおいては、側板１は、側面視において左右対称となっているので、同一の側板１によって、左右の側板１，１を構成することができ、コスト的に有利となる。
【００４８】
もちろん、この発明の範囲は上記した実施形態に限定されるものではなく、各請求項に記載した事項の範囲内でのあらゆる変更は、すべて本願発明の範囲に含まれる。
【００４９】
たとえば、実施形態では、傘保持部３１は、手前縁が下位となるように傾斜して設けられているが、これを水平状となるように構成することも、もちろん本願発明の範囲内である。
【００５０】
実施形態では、水受けトレイ４を設けているが、このような水受けトレイ４を設けるかどうかは、選択的な事項である。
【図面の簡単な説明】
【図１】本願発明の一実施形態にかかる傘立ての全体斜視図である。
【図２】図１のＩＩ−ＩＩ線に沿う断面図である。
【図３】傘保持ブロックの裏面図である。
【図４】側板の内面を示す説明図である。
【図５】図１に示された傘立ての側面図である。
【図６】ロッド連結部を示す要部拡大断面図である。
【図７】図６のＶＩＩ−ＶＩＩ線に沿う断面図である。
【符号の説明】
Ａ    傘立て
１    側板
２（２ａ〜２ｄ）    （第１の〜第４の）ロッド
３    傘保持ブロック
４    水受けトレイ
１１    ロッド連結部
１１ａ    有底孔
１１ｂ    凸条
１１ｃ    透孔
１２，１２ａ，１２ｂ    円形凹部
１３    コーナ部
１４    透孔
２１    ロッド端部
２２    ロッド端面
２３    ナット部材
２４    ねじ
２４ａ    ねじ頭部
３１    傘保持部
３２    ベース部
３３    傘挿入口
３４    筒状部
３５    フランジ部
３５ａ    透孔
３６ａ，３６ｂ  リブ
３７    湾曲状フランジ部
４１    係合凹部
【図１】
2005034262.tif 000003
【図２】
2005034262.tif 000004
【図３】
2005034262.tif 000005
【図４】
2005034262.tif 000006
【図５】
2005034262.tif 000007
【図６】
2005034262.tif 000008
【図７】
2005034262.tif 000009